(57)【要約】【課題】カットフリードアを用いたドアの取付施工において、ドア枠に設けられている既存の被係合手段を有効活用する。【解決手段】カットフリードア１０は、各々、切断により縦方向の長さ調整が図られるパネル状の扉本体１１、及びその戸先側に設けられる戸先部材１２を備える。戸先部材１２は、戸先側の縦方向の中間部にドア枠の被係合手段に係合する係合手段１２６ａが設けられていると共に、縦方向の両側の所定長が中実の長さ調整部１２ａに構成され、且つ縦方向の長さが扉本体１１よりも長い。【選択図】図１
2016069917.tif 000002
【特許請求の範囲】
【請求項１】
各々、切断により縦方向の長さ調整が図られるパネル状の扉本体、及び前記扉本体の戸先側に設けられる戸先部材を備えたカットフリードアであって、
前記戸先部材は、戸先側の縦方向の中間部にドア枠の被係合手段に係合する係合手段が設けられていると共に、縦方向の両側の所定長が中実の長さ調整部に構成され、且つ縦方向の長さが前記扉本体よりも長いカットフリードア。
【請求項２】
請求項１に記載されたカットフリードアにおいて、
前記扉本体の縦方向上部又は下部のみの切断により前記扉本体の縦方向の長さ調整が図られるように構成されているカットフリードア。
【請求項３】
請求項１又は２に記載されたカットフリードアにおいて、
前記扉本体のみの切断により全体の幅方向の長さ調整が図られるように構成されているカットフリードア。
【請求項４】
請求項１乃至３のいずれかに記載されたカットフリードアの前記扉本体及び前記戸先部材の縦方向の長さ調整を行ってドアを構成し、前記ドアを既存の被係合手段が設けられているドア枠に取付施工する方法であって、
前記戸先部材の縦方向の長さ調整を、前記係合手段の縦方向の位置が前記ドア枠の前記既存の被係合手段の位置に対応するように、縦方向の両側又は片側の前記長さ調整部を切断するドアの取付施工方法。
【発明の詳細な説明】
【技術分野】
【０００１】
本発明は、カットフリードア及びそれを用いたドアの取付施工方法に関する。
【背景技術】
【０００２】
住宅のリフォームにおいて、カットフリードアを既存のドア枠の大きさに合わせて切断し、それを新しいドアとして取付施工することが一般に行われている。
【０００３】
特許文献１には、カットフリー開き戸を幅方向に分割した複数のパーツで構成し、各パーツを既存の開き戸枠に合うよう現場でカットすると共に、それらを組付けて接合一体化させて開き戸を完成させることが開示されている。
【０００４】
特許文献２には、カットフリー開き戸を、左右一対の竪框、上下一対の横框、及びこれら框材が框組みされた框枠内に嵌込み可能である鏡板で構成することが開示されている。
【０００５】
特許文献３には、カットフリー開き戸を用いた開き戸の取付施工において、開き戸枠のラッチ受けの跡を隠すように新しいラッチ受けを設けることが開示されている。
【先行技術文献】
【特許文献】
【０００６】
【特許文献１】特開２００４−３６３７５号公報
【特許文献２】特開２００４−１３２０７２号公報
【特許文献３】特開２００４−６８４６６号公報
【発明の概要】
【発明が解決しようとする課題】
【０００７】
ところで、従来のカットフリー開き戸を用いた開き戸の取付施工方法では、長さ調整した開き戸に設けられた係合手段のラッチに合わせて、開き戸枠に新しい被係合手段のラッチ受けが設けられる。このとき、意匠性の観点から、従来のラッチ受けの跡は埋め木により隠されたり、或いは、特許文献３に開示されているように新しいラッチ受けにより隠される。
【０００８】
本発明の課題は、カットフリードアを用いたドアの取付施工において、ドア枠に設けられている既存の被係合手段を有効活用することである。
【課題を解決するための手段】
【０００９】
請求項１に係る発明は、各々、切断により縦方向の長さ調整が図られるパネル状の扉本体、及び前記扉本体の戸先側に設けられる戸先部材を備えたカットフリードアであって、前記戸先部材は、戸先側の縦方向の中間部にドア枠の被係合手段に係合する係合手段が設けられていると共に、縦方向の両側の所定長が中実の長さ調整部に構成され、且つ縦方向の長さが前記扉本体よりも長い。
【００１０】
請求項１に係る発明によれば、戸先部材が、戸先側の縦方向の中間部に係合手段が設けられていると共に、縦方向の両側の所定長が中実の長さ調整部に構成され、且つ縦方向の長さが扉本体よりも長いので、カットフリードアを用いたドアの取付施工において、戸先部材の縦方向の長さ調整を行う際、係合手段の縦方向の位置がドア枠の既存の被係合手段の位置に対応するように縦方向の両側又は片側の長さ調整部を切断すれば、既存の被係合手段の再利用又は既存の被係合手段の取付部を利用した新しい被係合手段への交換が可能となり、いずれにしてもドア枠に設けられている既存の被係合手段を有効活用することができる。
【００１１】
請求項２に係る発明は、請求項１に記載されたカットフリードアにおいて、前記扉本体の縦方向上部又は下部のみの切断により前記扉本体の縦方向の長さ調整が図られるように構成されている。
【００１２】
請求項２に係る発明によれば、扉本体の縦方向上部又は下部が切断されることが予め決まっているので、それを前提として意匠を表現することができ、切断後も違和感のない意匠を実現することができる。また、切断部には芯材が必要となるが、切断により除去される部分には芯材を入れる必要がなく、必要最小限の部分のみに芯材を設ければよい。
【００１３】
請求項３に係る発明は、請求項１又は２に記載されたカットフリードアにおいて、前記扉本体のみの切断により全体の幅方向の長さ調整が図られるように構成されている。
【００１４】
請求項３に係る発明によれば、扉本体のみの切断により全体の幅方向の長さ調整が図られるので、複数の部材を切断する必要がなく、そのための部材の切断を最小限に留めることができる。
【００１５】
請求項４に係る発明は、請求項１乃至３のいずれかに記載されたカットフリードアの前記扉本体及び前記戸先部材の縦方向の長さ調整を行ってドアを構成し、前記ドアを既存の被係合手段が設けられているドア枠に取付施工する方法であって、前記戸先部材の縦方向の長さ調整を、前記係合手段の縦方向の位置が前記ドア枠の前記既存の被係合手段の位置に対応するように、縦方向の両側又は片側の前記長さ調整部を切断する。
【００１６】
請求項３に係る発明によれば、ドア枠に設けられている既存の被係合手段を有効活用することができる。
【発明の効果】
【００１７】
本発明によれば、戸先部材が、戸先側の縦方向の中間部に係合手段が設けられていると共に、縦方向の両側の所定長が中実の長さ調整部に構成され、且つ縦方向の長さが扉本体よりも長いので、カットフリードアを用いたドアの取付施工において、ドア枠に設けられている既存の被係合手段を有効活用することができる。
【図面の簡単な説明】
【００１８】
【図１】実施形態に係るカットフリー開き戸の正面図である。
【図２】実施形態に係るカットフリー開き戸の平面図である。
【図３】図２におけるIII-III断面図である。
【図４】図１におけるIV-IV断面図である。
【図５】開き戸枠の斜視図である。
【図６】開き戸の組立図である。
【図７】扉本体への戸先部材の固定構造を示す図である。
【図８】開き戸の正面図である。
【図９】図８におけるIX-IX断面図である。
【図１０】リフォーム後の開き戸の取付構造の斜視図である。
【発明を実施するための形態】
【００１９】
以下、実施形態について詳細に説明する。
【００２０】
図１〜４は、実施形態に係るカットフリー開き戸（カットフリードア）１０を示す。
【００２１】
実施形態に係るカットフリー開き戸１０は、扉本体１１、扉本体１１の戸先側の端辺に沿って設けられる戸先部材１２、及び扉本体１１の戸尻側の端辺に沿って設けられる戸尻部材１３を備える。
【００２２】
扉本体１１は、縦長矩形パネル状に形成されており、例えば、縦方向の長さが２０００〜２３００ｍｍ、幅方向の長さが３００〜６００ｍｍ、及び厚さが２０〜５０ｍｍである。扉本体１１は、合板、集成材、ＭＤＦやパーティクルボード等により構成されており、切断により縦方向及び幅方向に長さ調整が図られる。扉本体１１は、全体が中実に形成されていてもよく、また、軽量化のために中空部を有していてもよい。但し、後者の場合であっても、切断により縦方向及び幅方向の長さ調整を図るための長さ調整部１１ａ（図の網掛け部分）、具体的には、縦方向上部及び幅方向の戸先側部分は、切断面に中空部が露出しないように中実に形成されていることが必要である。長さ調整部１１ａの縦方向の長さは例えば１００〜５００ｍｍであり、長さ調整部１１ａの幅方向の長さは例えば５０〜５００ｍｍである。
【００２３】
戸先部材１２は、縦長軸材状に形成されており、例えば、縦方向の長さが２０００〜２４００ｍｍ、幅方向の長さが１５０〜３００ｍｍ、及び厚さが２０〜５０ｍｍである。戸先部材１２は、合板、集成材、ＭＤＦやパーティクルボード等により構成されており、切断により縦方向に長さ調整が図られる。
【００２４】
戸先部材１２は、間隔をおいて並行に設けられた外側芯材１２１及び内側芯材１２２を有し、両面のそれぞれにおいて、外側芯材１２１の全面及び内側芯材１２２の幅方向の外側の一部分を覆うように化粧板１２３が設けられており、また、外側芯材１２１の外側の端面を覆うようにも化粧板１２３が設けられている。内側芯材１２２の内側の端面には、扉本体１１の厚さに概ね等しい幅を有するコの字状の嵌合溝１２２ａが内向きに開口して形成されている。内側芯材１２２の化粧板１２３に覆われずに突出した部分の両面のそれぞれには、縦方向に延びる浅底のコの字溝１２２ｂが形成されている。それらのコの字溝１２２ｂの溝底には、縦方向に間隔をおいて設けられた複数のリード孔１２２ｃが嵌合溝１２２ａまで貫通するように穿孔されている。また、戸先部材１２は、両面における内側芯材１２２の化粧板１２３から突出した部分及びそれに連続する内側の端面を覆うための断面Ｌ字状の一対のカバー材１２４を有する。カバー材１２４の内側には、コの字溝１２２ｂに係合固定するための係合部１２４ａが設けられている。
【００２５】
戸先部材１２は、縦方向の中間部における外側芯材１２１と内側部材との間に設けられた中間材１２５を有し、外側芯材１２１及び中間材１２５とにケース錠１２６が埋設され、それによって戸先側の端面の縦方向の中間部に、開き戸枠に設けられているラッチ受け（被係合手段）に係合するラッチ１２６ａ（係合手段）が突出するように設けられていると共に、両面のそれぞれにハンドル１２６ｂが取り付けられた構成となっている。ラッチ１２６ａの設置位置は、後述のように戸先部材１２の縦方向の長さ調整により開き戸枠の既存のラッチ受けの位置に対応させる。
【００２６】
戸先部材１２は、縦方向の両側の所定長に外側芯材１２１と内側芯材１２２との間を埋めるように設けられた中実材１２７を有し、それらの部分が切断により縦方向の長さ調整を図るための中実の長さ調整部１２ａ（図の網掛け部分）が上下端部に構成されている。上側及び下側の長さ調整部１２ａの長さは例えば５０〜２５０ｍｍである。戸先部材１２は、このように縦方向の両側の所定長に長さ調整部１２ａを有することから、扉本体１１や後述の戸尻部材１３の長さよりも長く形成されている。また、戸先部材１２は、外側芯材１２１と内側芯材１２２との間の空間における中間材１２５と上側の中実材１２７との間及び中間材１２５と下側の中実材１２７との間のそれぞれに間隔をおいて設けられた複数の補強材１２８を有する。
【００２７】
戸尻部材１３は、縦方向に長さ調整される縦長軸材状に形成されており、例えば、縦方向の長さが扉本体１１と同様に２０００〜２３００ｍｍ、幅方向の長さが３００〜６００ｍｍ、及び厚さが２０〜５０ｍｍである。戸先部材１２は、合板、集成材、ＭＤＦやパーティクルボード等により構成されており、切断により縦方向に長さ調整が図られる。
【００２８】
戸尻部材１３は、間隔をおいて並行に設けられた外側芯材１３１及び内側芯材１３２を有し、両面のそれぞれにおいて、外側芯材１３１の全面及び内側芯材１３２の幅方向の外側の一部分を覆うように化粧板１３３が設けられており、また、外側芯材１３１の外側の端面を覆うようにも化粧板１３３が設けられている。内側芯材１３２の内側の端面には、扉本体１１の厚さに概ね等しい幅を有するコの字状の嵌合溝１３２ａが内向きに開口して形成されている。内側芯材１３２の化粧板１３３に覆われずに突出した部分の両面のそれぞれには、縦方向に延びる浅底のコの字溝１３２ｂが形成されている。それらのコの字溝１３２ｂの溝底には、縦方向に間隔をおいて設けられた複数のリード孔１３２ｃが嵌合溝１３２ａまで貫通するように穿孔されている。また、戸尻部材１３は、両面における内側芯材１３２の化粧板１３３から突出した部分及びそれに連続する内側の端面を覆うための断面Ｌ字状の一対のカバー材１３４を有する。カバー材１２４の内側には、コの字溝１３２ｂに係合固定するための係合部１３４ａが設けられている。
【００２９】
戸尻部材１３は、縦方向の上側の所定長に外側芯材１３１と内側芯材１３２との間を埋めるように設けられた中実材１３７を有し、その部分が切断により縦方向の長さ調整を図るための中実の長さ調整部１３ａ（図の網掛け部分）に構成されている。長さ調整部１３ａの長さは、扉本体１１と同様、例えば５０〜５００ｍｍである。また、戸尻部材１３は、下端側の開口を封じるように化粧材１３３に内嵌め状に設けられた下面封止材１３５を有する。更に、戸尻部材１３は、外側芯材１３１と内側芯材１３２との間の空間における上側の中実材１３７と下面封止材１３５との間に間隔をおいて設けられた複数の補強材１３８を有する。
【００３０】
なお、扉本体１１、戸先部材１２、及び戸尻部材１３については、意匠性や補強効果の向上を目的として、それらの一部又は全部を、アルミニウム、ステンレス等の金属部材で構成してもよい。また、アクリル樹脂、メタクリルスチレン樹脂、ポリカーボネート樹脂などの透明性樹脂、半透明性樹脂、非透明性樹脂、ガラス等を用いた透光部を設けて採光可能に構成してもよい。この場合、各部材間を接合する接合材には、ビス、ナット、接着剤、両面テープ等から単体で又は複合して適宜選択して用いればよい。
【００３１】
次に、住宅のリフォームにおける実施形態に係るカットフリー開き戸１０を用いた開き戸の取付施工方法について説明する。
【００３２】
まず、リフォーム前の開き戸の取付構造において、古い開き戸を取り外し、図５に示すように、ラッチ受け２１が設けられている開き戸枠２０だけを残す。このとき、蝶番２２を再利用する場合には、蝶番２２を開き戸枠２０に取り付けた状態で、開き戸を蝶番から外してもよく、また、蝶番を開き戸に取り付けた状態で、開き戸を蝶番と共に開き戸枠２０から外してもよい。
【００３３】
次いで、実施形態に係るカットフリー開き戸１０について、図６に示すように、戸先部材１２の縦方向の長さ調整を、ラッチ１２６ａの縦方向の位置が開き戸枠２０の既存のラッチ受け２１の位置に対応するように、縦方向の上側及び下側の両側又はそれらのうちの片側の長さ調整部１２ａを切断して行う。
【００３４】
このように、実施形態に係るカットフリー開き戸１０によれば、戸先部材１２が、戸先側の端面の縦方向の中間部にラッチ１２６ａが設けられていると共に、縦方向の両側の所定長が中実の長さ調整部１２ａに構成され、且つ縦方向の長さが扉本体１１よりも長いので、開き戸の取付施工において、戸先部材１２の縦方向の長さ調整を行う際、ラッチ１２６ａの縦方向の位置が開き戸枠２０の既存のラッチ受け２１の位置に対応するように縦方向の両側又は片側の長さ調整部を切断すれば、既存のラッチ受け２１の再利用又は既存のラッチ受けの取付部を利用した新しいラッチ受けへの交換が可能となり、いずれにしても開き戸枠２０に設けられている既存のラッチ受け２１を有効活用することができる。従って、開き戸枠２０に設けられている既存のラッチ受け２１の跡を隠す必要はなく、意匠的な修復はほとんど不要である。加えて、戸先部材１２のみの切断によりラッチ１２６ａの縦方向の位置を開き戸枠２０の既存のラッチ受け２１の位置に対応させるので、扉本体１１や戸尻部材１３を切断する必要がなく、そのための部材の切断を最小限に留めることができる。
【００３５】
また、図６に示すように、扉本体１１及び戸尻部材１３の縦方向の長さ調整を、縦方向上部の長さ調整部１１ａ，１３ａを切断し、扉本体１１、戸先部材１２、及び戸尻部材１３の縦方向の長さが同一となるように長さ調整する。
【００３６】
このとき、扉本体１１は、本実施形態では縦方向上部のみに長さ調整部１１ａが設けられているが、このように縦方向上部及び下部のうちいずれか一方のみに長さ調整部１１ａが設けられており、縦方向上部又は下部の長さ調整部１１ａのみの切断により扉本体１１の縦方向の長さ調整が図られるように構成されていることが好ましい。扉本体１１の縦方向上部及び下部のうちいずれか一方のみに長さ調整部１１ａが設けられていれば、縦方向上部又は下部が切断されることが予め決まっているので、それを前提として意匠を表現することができ、切断後も違和感のない意匠を実現することができる。また、長さ調整部１１ａには芯材が必要となるが、長さ調整部１１ａの切断により除去される部分には芯材を入れる必要がなく、必要最小限の部分のみに芯材を設ければよい。
【００３７】
戸尻部材１３も、本実施形態では縦方向上部のみに長さ調整部１３ａが設けられているが、このように縦方向上部及び下部のうちいずれか一方のみに長さ調整部１３ａが設けられており、縦方向上部又は下部の長さ調整部１３ａのみの切断により戸尻部材１３の縦方向の長さ調整が図られるように構成されていることが好ましい。戸尻部材１３の縦方向上部及び下部のうちいずれか一方のみに長さ調整部１３ａが設けられていれば、ケース錠１２６を予め組み込んだ戸先部材１２と丁番を予め組み込んだ戸尻部材１３との位置調整を、それぞれ別々に長さ調整した上で組み立てることにより行うことができるので、戸先部材１３にケース錠１２６を予め組み込んでいるにも関わらず位置出しを容易に行うことができる。
【００３８】
なお、開き戸ではなく、吊戸や引戸の場合には、吊り金具或いは戸車を扉本体及び／又は戸尻部材に予め組み込んでおき、組み込んでいない反対側を長さ調整部として、扉本体及び／又は戸尻部材の縦方向上部又は下部の長さ調整部のみの切断により扉本体及び／又は戸尻部材の長さ調整を図ることができれば、施工性を大幅に向上させることができる。これらの場合、カットフリードアを施工は、組み込まれる吊車に対応する吊レール或いは戸車に対応する敷居レールを予め既存の戸枠に組み込んだ後に行う。
【００３９】
更に、図６に示すように、扉本体１１の幅方向の長さ調整を、幅方向の戸先側部分の長さ調整部１１ａを切断して行う。
【００４０】
このとき、扉本体１１は、本実施形態では戸先側部分のみに長さ調整部１１ａが設けられているが、このように戸先側部分及び戸尻側部分のうちいずれか一方のみに長さ調整部１１ａが設けられており、戸先側部分又は戸尻側部分の長さ調整部１１ａのみの切断により扉本体１１の幅方向の長さ調整が図られるように構成されていることが好ましい。扉本体１１の戸先側部分及び戸尻側部分のうちいずれか一方のみに長さ調整部１１ａが設けられていれば、戸先側部分又は戸尻側部分が切断されることが予め決まっているので、それを前提として意匠を表現することができ、切断後も違和感のない意匠を実現することができる。また、長さ調整部１１ａには芯材が必要となるが、長さ調整部１１ａの切断により除去される部分には芯材を入れる必要がなく、必要最小限の部分のみに芯材を設ければよい。本実施形態では、幅方向の長さ調整のための長さ調整部１１ａが扉本体１１のみに設けられているが、このように扉本体１１の長さ調整部１１ａのみの切断により全体の幅方向の長さ調整が図られるように構成されていることが好ましい。扉本体１１のみの切断により全体の幅方向の長さ調整が図られれば、戸先部材１２や戸尻部材１３を切断する必要がなく、そのための部材の切断を最小限に留めることができる。加えて、戸先側及び戸尻側の端面に切断面が露出するのを防止することもできる。
【００４１】
続いて、上下端を揃えるように、扉本体１１の戸先側の端辺部を戸先部材１２の嵌合溝１２２ａに嵌め入れると共に、扉本体１１の戸尻側の端辺部を戸尻部材１３の嵌合溝１３２ａに嵌め入れる。また、戸先部材１２のリード孔１２２ｃからビスや組ネジ等の固定具１４を、図７に示すように、扉本体１１を貫通させるように打ち付けて扉本体１１と戸先部材１２とを物理的に固定し、同様に、戸尻部材１３のリード孔１３２ｃからビスや組ネジ等の固定具１４を、扉本体１１を貫通させるように打ち付けて扉本体１１と戸尻部材１３とを物理的に固定し、それらの部分をカバー材１２４，１３４で覆い、係合部１２４ａ，１３４ａをコの字溝１２２ａ，１３２ａに係合させ、必要に応じて接着剤を併用してカバー材１２４，１３４を固定することにより、図８及び９に示すように、取り替え用の開き戸Ｄを構成する。このとき、扉本体１１と戸先部材１２及び戸尻部材１３とを物理的に固定することから、開き戸Ｄの組み立て直後から高い接合強度を得ることができるので、開き戸Ｄの組み立て後の養生時間が不要となり、リフォームにおける開き戸Ｄの取り替え時間の短縮を図ることができる。なお、扉本体１１と戸先部材１２及び戸尻部材１３とを固定する際には、固定具１４と共に接着剤を併用してもよい。また、取り替え用の開き戸Ｄは、扉本体１１、戸先部材１２、及び戸尻部材１３の上面及び下面のそれぞれを覆うように設けられると共に、ビスや組ネジ等の固定具１４が打ち付けられて一体化した補強部材１５により補強されていてもよい。
【００４２】
そして、図１０に示すように、取り替え用の開き戸Ｄを、開き戸枠２０に取り付ける。このとき、蝶番２２を再利用する場合には、開き戸枠２０に取り付けられた蝶番２２を開き戸Ｄの戸尻部材１３に取り付ければよい。開き戸枠２０から蝶番を取り外した場合には、開き戸Ｄの戸尻部材１３に新しい蝶番２２を取り付けると共に、蝶番２２を開き戸枠２０に取り付ければよい。また、開き戸枠２０に設けられているラッチ受け２１は、そのまま再利用してもよいが、必要に応じて交換してもよい。
【００４３】
なお、上記実施形態では、カットフリー開き戸１０としたが、特にこれに限定されるものではなく、係合手段としてカマ錠が設けられたカットフリー吊戸やカットフリー引戸等であってもよい。
【００４４】
また、上記実施形態では、扉本体１１、戸先部材１２、及び戸尻部材１３によりカットフリー開き戸１０を構成したが、特にこれに限定されるものではなく、扉本体が戸尻部材を含む単一部材で構成されていてもよい。この場合、扉本体の縦方向上部又は下部の長さ調整部のみの切断により扉本体の縦方向の長さ調整が図られるように構成されていることが好ましく、戸先側部分の長さ調整部のみの切断により扉本体及び全体の幅方向の長さ調整が図られるように構成されていることが好ましい。
【産業上の利用可能性】
【００４５】
本発明は、カットフリードア及びそれを用いたドアの取付施工方法について有用である。
【符号の説明】
【００４６】
Ｄ  開き戸
１０  カットフリー開き戸（カットフリードア）
１１  扉本体
１１ａ，１２ａ，１３ａ  長さ調整部
１２  戸先部材
１２１，１３１  外側芯材
１２２，１３２  内側芯材
１２２ａ，１３２ａ  嵌合溝
１２２ｂ，１３２ｂ  コの字溝
１２２ｃ，１３２ｃ  リード孔
１２３，１３３  化粧板
１２４，１３４  カバー材
１２４ａ，１３４ａ  係合部
１２５  中間材
１２６  ケース錠
１２６ａ  ラッチ（係合手段）
１２６ｂ  ハンドル
１２７，１３７  中実材
１２８，１３８  補強材
１３  戸尻部材
１３５  下面封止材
１４  固定具
１５  補強部材
２０  開き戸枠（ドア枠）
２１  ラッチ受け（被係合手段）
２２  蝶番
【図１】
2016069917.tif 000003
【図２】
2016069917.tif 000004
【図３】
2016069917.tif 000005
【図４】
2016069917.tif 000006
【図５】
2016069917.tif 000007
【図６】
2016069917.tif 000008
【図７】
2016069917.tif 000009
【図８】
2016069917.tif 000010
【図９】
2016069917.tif 000011
【図１０】
2016069917.tif 000012